(57)【要約】【課題】  印刷と引き取りで課金を任意に設定でき誰がどのくらい使ったかを把握できるファクシミリ装置を提供する。【解決手段】  課金管理部８を有し、端末装置９とネットワーク接続されたファクシミリ装置において、受信文書を印刷しまたは端末装置９で引き取る際に課金を任意に設定可能な操作表示部１を備え、課金管理部８は、この課金設定に応じて課金を行う。課金管理部８は、１文書単位、１ページ単位、あるいはサイズ単位で課金を行う【選択図】        図１
2005236440.tif 000002
【特許請求の範囲】
【請求項１】
端末装置とネットワークにて接続され、課金管理手段を備えたファクシミリ装置において、受信文書を印刷しあるいは上記端末装置で引き取る際に課金を設定可能な操作表示手段を備え、この操作表示手段による課金設定に応じて課金管理を行う上記課金管理手段を備えたことを特徴とするファクシミリ装置。
【請求項２】
請求項１記載のファクシミリ装置において、課金管理手段は、１文書単位で課金を行うことを特徴とするファクシミリ装置。
【請求項３】
請求項１記載のファクシミリ装置において、課金管理手段は、ページ単位で課金を行うことを特徴とするファクシミリ装置。
【請求項４】
請求項１記載のファクシミリ装置において、課金管理手段は、データサイズ単位で課金を行うことを特徴とするファクシミリ装置。
【発明の詳細な説明】
【技術分野】
【０００１】
本発明は、課金管理手段を備え、端末装置とネットワークにて接続されたファクシミリ装置に関する。
【背景技術】
【０００２】
ユーザー毎に課金情報を管理できるファクシミリ装置において、受信した文書を印刷したりパソコンに引き取るときに課金するようなシステム運用を行っているものが知られている（特許文献１参照）。
【特許文献１】特開２００１−１６９０２６公報
【発明の開示】
【発明が解決しようとする課題】
【０００３】
上記のシステム運用に際し、印刷とパソコンへの引き取りの際に、課金方法に応じて課金を設定でき誰がどのくらい使ったかを把握できるようになれば、利便性が各段に向上する。
本発明は、このような背景に鑑みてなされたものであり、印刷と引き取りで課金方法に応じて課金を設定でき誰がどのくらい使ったかを把握できるファクシミリ装置を提供することを目的とする。
【課題を解決するための手段】
【０００４】
上記目的を達成するために、請求項１記載の発明は、端末装置とネットワークにて接続され、課金管理手段を備えたファクシミリ装置において、受信文書を印刷しあるいは上記端末装置で引き取る際に課金を設定可能な操作表示手段を備え、この操作表示手段による課金設定に応じて課金管理を行う上記課金管理手段を備えたファクシミリ装置を最も主要な特徴とする。
請求項２記載の発明は、請求項１記載のファクシミリ装置において、課金管理手段は、１文書単位で課金を行うファクシミリ装置を主要な特徴とする。
請求項３記載の発明は、請求項１記載のファクシミリ装置において、課金管理手段は、ページ単位で課金を行うファクシミリ装置を主要な特徴とする。
請求項４記載の発明は、請求項１記載のファクシミリ装置において、課金管理手段は、データサイズ単位で課金を行うファクシミリ装置を主要な特徴とする。
【発明の効果】
【０００５】
本発明では、表示操作手段と課金管理手段を有し、端末装置とネットワーク接続されたファクシミリ装置にあって、ユーザーに応じて、あるいは課金方法に応じて課金設定を行いかつ課金管理を行うことができる。
【発明を実施するための最良の形態】
【０００６】
以下、本発明の実施の形態を図面に従って説明する。
図１は本発明の実施の形態に係るファクシミリ装置の機能ブロック図、図２は受信文書一覧を示す図、図３は１操作単位あるいは１文書単位当たりの印刷または引き取りの課金設定を示す図、図４はユーザー毎の課金情報を示す図、図５は１ページ当たりの印刷または引き取りの課金設定を示す図、図６は１キロバイト当たりの印刷または引き取りの課金設定を示す図である。
図１において、操作表示部１（操作表示手段に対応する）は、ユーザー操作や各種ＬＥＤ点灯、メッセージ表示を行う。スキャナ部２は、ファクシミリの送信原稿を読み取り２値化データに変換する。プロッタ部３は、受信した原稿や各種レポート類を印刷する。画像蓄積部４は、送信時に一時的に圧縮データを蓄積したり受信時に受信した圧縮データを蓄積する。圧縮／伸張部５は、画像をＩＴＵ−Ｔ  Ｔ．４（国際電気通信連合電気通信標準化部門Ｔ．４）規格に準じて圧縮／伸張する。
モデム６は、公衆回線でファクシミリのアナログ信号をやり取りするためにデータの変調／復調を行う。ＮＣＵ（網制御装置）７は、アナログ一般公衆網とのＩＦ（インターフェース）である。課金管理部８（課金管理手段に対応する）は、ユーザー毎の使用料金をカウントして課金設定に応じた課金情報を管理しておく。ＬＡＮ  Ｉ／Ｆ１０は、ＰＣ端末（パソコン）９を有するネットワークを接続するインターフェースである。ＰＣ端末９（端末装置）は、ファクシミリ受信した蓄積画像をＷＥＢで引き取る。本発明の実施形態では、ユーザー毎に発生する課金情報を管理するために不揮発メモリ上にユーザーとユーザー毎の課金情報を記憶しておくようにしている（図４参照）。
【実施例１】
【０００７】
ファクシミリ受信した画像ファイルを画像蓄積部４に記憶する。この時、端末装置９において画像蓄積部４に蓄積された受信データのリストを参照することが可能である。機器（ファクシミリ装置）側と端末装置９の間は、ＨＴＴＰプロトコルを使用しＷＥＢとして端末装置９に表示させる。すなわち、図２に示すように端末装置９では、上記リストである受信文書通信管理履歴一覧が経時的に表示され、印刷あるいは引き取りの指示も可能となっている。
この時に、印刷を指示すれば指定された受信ファイルがプロッタ部３を使って印刷される。操作表示部１で引き取りを指示すれば、指定された受信ファイルがＦＴＰ（ファイル転送プロトコル）等の転送プロトコルを使用して端末装置９に転送される。
ここで利用者がファクシミリ受信した画像ファイルを印刷し、または端末装置９に引き取りを行う時に印刷と引き取りで課金の設定をできるようにしておく（図３参照）。その際、１操作単位（文書単位）でユーザー毎に印刷や引き取りを実施した場合に設定された料金分課金するようにする。この課金の設定は、操作表示部１にて行われ、１操作単位であること及びユーザー毎であることを設定する。
【実施例２】
【０００８】
実施例１においては、利用者がファクシミリ受信した画像ファイルを印刷し、または端末装置９に引き取りを行う時に印刷と引き取りで課金の設定をできるようにする際、１操作単位でユーザー毎に印刷や引き取りを実施した場合に設定された料金分課金しているのであるが、この実施例２では１操作単位ではなく１ページあたりで課金できるようにする（図５参照）。すなわち、操作表示部１にて、１ページ単位であること及びユーザー毎であることを設定する。
【実施例３】
【０００９】
実施例１においては、１操作単位でユーザー毎に印刷や引き取りを実施した場合に設定された料金分課金しているのであるが、この実施例３では、ファクシミリ受信した画像ファイルのサイズに依存して課金できるようにする。例として図６に示すように、１キロバイトあたりの課金情報を設定しておく。すなわち、操作表示部１にて、サイズ単位であること及びユーザー毎であることを設定する。
ユーザー毎に課金情報を管理できるファクシミリで受信した文書を印刷したりパソコンに引き取ったりするときに課金するようなシステム運用をする時に印刷と引き取りで課金を任意に設定でき誰がどのくらい使ったかを把握できるようになる。
【図面の簡単な説明】
【００１０】
【図１】本発明の実施の形態に係るファクシミリ装置の機能ブロック図。
【図２】受信文書一覧の表示例を示す図。
【図３】１操作単位当たりの印刷または引き取りの課金設定を示す図。
【図４】ユーザー毎の課金情報を示す図。
【図５】１ページ当たりの印刷または引き取りの課金設定を示す図。
【図６】１キロバイト当たりの印刷または引き取りの課金設定を示す図。
【符号の説明】
【００１１】
１  操作表示部（操作表示手段）
２  スキャナ部
３  プロッタ部
４  画像蓄積部
５  圧縮／伸張部
６  モデム
７  ＮＣＵ
８  課金管理部（課金管理手段）
９  ＰＣ端末
１０  ＬＡＮ  Ｉ／Ｆ
【図１】
2005236440.tif 000003
【図２】
2005236440.tif 000004
【図３】
2005236440.tif 000005
【図４】
2005236440.tif 000006
【図５】
2005236440.tif 000007
【図６】
2005236440.tif 000008